(57)【要約】【課題】  マルチチップ方式の発光素子における色制御の複雑さ、回路構成の複雑さを解消し、簡単な駆動方式により多色光、及び白色光の発光制御を可能とした発光素子を提供すること。【解決手段】  複数の発光ダイオード２Ｒ、２Ｇ、２Ｂと、これらの発光ダイオードを駆動する駆動用ＩＣ３Ａを一体化した発光素子１Ａであって、前記駆動用ＩＣ３を、複数ビットシフトレジスタ１２、複数ビットラッチ１３、複数ビットドライバ１５より構成する。  この発光素子１Ａの外部端子７ＳＩから入力された発光入力信号ＳＩを、最初の周期で複数ビットシフトレジスタ１２によりＲ、Ｇ、Ｂ毎に分離して保持し、次の周期で複数ビットラッチ１３に読取らせて保持させて、対応する複数の発光ダイオード２Ｒ、２Ｇ、２Ｂを適宜選択して発光させることにより、白色及び赤色から青色までの任意の色の光を発光させることができる発光素子１Ａが得られる。【選択図】        図２
2006054337.tif 000002
【特許請求の範囲】
【請求項１】
複数の発光ダイオードと、これらの発光ダイオードを駆動する駆動用ＩＣを一体化した発光素子であって、前記駆動用ＩＣは、電流供給回路、複数ビットシフトレジスタ、複数ビットラッチ及び複数ビットドライバよりなることを特徴とする発光素子。
【請求項２】
前記複数ビットドライバは、前記複数の発光ダイオード毎の電流値もしくは前記複数の発光ダイオード間の電流比率を一定に制御するものであることを特徴とする請求項１に記載の発光素子。
【請求項３】
前記複数ビットドライバは、前記複数の発光ダイオード毎の電流値もしくは前記複数の発光ダイオード間の電流比率を微調整する機能を備えていることを特徴とする請求項２に記載の発光素子。
【請求項４】
前記微調整は、前記駆動用ＩＣに内蔵した不揮発性メモリに記憶させた補正用のデータに基づいて行われることを特徴とする請求項３に記載の発光素子。
【請求項５】
前記駆動用ＩＣは、ストローブ信号制御回路を含み、前記ストローブ信号制御回路により前記複数の発光ダイオードの発光時間制御を行うことを特徴とする請求項１に記載の発光素子。
【請求項６】
前記複数の発光ダイオードは、それらの光の混色によって白色発光が可能な発光色を備えることを特徴とする請求項１に記載の発光素子。
【請求項７】
前記複数の発光ダイオードは、赤色、緑色、青色の３原色のそれぞれを発光するものを含むことを特徴とする請求項６に記載の発光素子。
【請求項８】
前記複数の発光ダイオードは、さらに赤色と緑色の間に中心波長を有する発色光を有するものであることを特徴とする請求項７に記載の発光素子。
【請求項９】
前記複数の発光ダイオードは、さらに橙色及び黄色の少なくとも１つを発光するものを含むことを特徴とする請求項７に記載の発光素子。
【請求項１０】
前記複数の発光ダイオードは前記駆動用ＩＣの表面に設けられていることを特徴とする請求項１〜９のいずれかに記載の発光素子。
【請求項１１】
前記複数の発光ダイオードと前記駆動用ＩＣは、同じ樹脂によって覆われていることを特徴とする請求項１〜１０のいずれかに記載の発光素子。
【請求項１２】
前記請求項１〜１１のいずれかに記載の発光素子を複数個備え、それぞれの発光素子の駆動用ＩＣをカスケード接続したことを特徴とする発光装置。
【請求項１３】
前記発光装置が画像表示装置であることを特徴とする請求項１２に記載の発光装置。
【発明の詳細な説明】
【技術分野】
【０００１】
本発明は、複数の発光ダイオードとその駆動用のＩＣを一体に備えるランプ型、チップ型等の発光素子及び該発光素子を複数個用いた発光装置に関し、特に複数の発光ダイオードとその駆動用のＩＣを一体に備え、少なくとも赤（Ｒ）、緑（Ｇ）、青（Ｂ）の３原色を含み、青から赤までの発光スペクトルを有する白色光のみならず任意の色を発光させることのできる発光素子及び該発光素子を複数個用いた画像表示装置としても使用し得る発光装置に関する。
【背景技術】
【０００２】
従来から、発光ダイオードとその発光色の補色の光を発する蛍光体との組み合わせによって、疑似的に白色光を発光可能な発光素子が特許文献１に開示されている。この場合、一般的に、発光ダイオードとして青色発光するものを使用し、蛍光体として青色光を吸収して黄色発光するものを組み合わせ、擬似的に人間の目に白色光と感じられるようにするものが多用されている。しかしながら、このような組合せでは特定の色成分が少ないため、すなわち前述のような青色と黄色の混色による場合には赤色成分が少ないことにより、演色性に欠けるという問題がある。
【０００３】
また、白色光を発光させる別の方式として、Ｒ、Ｇ、Ｂの各光を発する発光ダイオードを用いた３原色の混色を用いる例も知られている。しかしながら、３原色の混色によって白色発光させる場合は、例えば図１２に示す典型的な各種発光ダイオードの発光強度−順電流特性から明らかなように、Ｒ、Ｇ、Ｂのそれぞれの光を発する発光ダイオードの電気−光学特性に大きな差異があることから、各色の発光度合いを調整するための電流調整が非常に面倒になる。
【０００４】
また、白色発光以外の場合においても、Ｒ、Ｇ、Ｂの３色あるいはそれとは異なる色の複数の発光ダイオードを用いて所望の色や発光強度分布を得る必要がある場合も、それぞれの発光ダイオードの発光強度を調整する必要があるが、そのための電流調整が面倒になる。また、この電流調整は、外付けの回路によって調整することもできるが、その場合は個々の発光素子毎に外付けの回路を設ける必要があり、回路構成が複雑化するとともに、色度などの調整が煩雑になるという問題点が存在している。
【０００５】
従来、Ｒ、Ｇ、Ｂの３原色の各発光ダイオードを一体化したいわゆるマルチチップ式の発光素子は、Ｒ、Ｇ、Ｂの各発光ダイオードに流す電流値を制御することにより７色又は、多色の色制御を行っているが、Ｒ、Ｇ、Ｂの３原色を全て点灯した場合に得られる白色光は、それぞれの発光ダイオードに流れる電流値を発光強度−順電流特性に合わせた設計上の電流値（例えば、Ｒ：１０ｍＡ、Ｇ：７ｍＡ、Ｂ：１０ｍＡなど）に設定した場合でも、個々の発光ダイオードの電気−光学特性にバラツキがあるため、製品によって色度のバラツキが発生するという問題点が存在している。
【０００６】
また、Ｒ、Ｇ、Ｂの各光を発する発光ダイオードを用いた３原色の混色を用いた白色光は、図１３の各種発光ダイオードのスペクトル分布特性図に示すように、ＲとＧの発光スペクトルの間隔はＧとＢの発光スペクトルの間隔に比すると広いので、ＲとＧの間に発光スペクトル分布が不連続な領域が存在する。したがって、より演色性の高い白色光を得るには、Ｒ、Ｇ、Ｂの３原色の各発光ダイオードだけでなく発光スペクトル分布がＲとＧの間に位置する橙色（Ｏ）及び黄色（Ｙ）の発光ダイオードのうちの少なくとも１つがさらに使用されるが、そうするとこれらの発光ダイオードをマルチチップ化した発光素子の色度のバラツキを補正することはより困難となる。
【０００７】
加えて、これらの複数の発光ダイオードをマルチチップ化した発光素子を多数個組み合わせて発光装置や画像表示装置を形成することは慣用的に行われているが、このような用途に使用される発光素子の数は非常に多いので、上述の色度のバラツキの補正の問題点はより大きく表れる。
【特許文献１】特開２００１−２１７４６３号公報
【発明の開示】
【発明が解決しようとする課題】
【０００８】
本発明は、上記のような従来技術の問題点を解決すべくなされたものであり、その目的は、マルチチップ方式の発光素子における色制御の複雑さ、回路構成の複雑さを解消し、簡単な駆動方式により多色光、及び白色光の発光制御を可能とした発光素子を提供することにある。
【０００９】
また、本発明の別の目的は、Ｒ、Ｇ、Ｂの３原色の各発光ダイオードより得られる白色の色度のバラツキを簡便に精度良く制御できる構成の発光素子を提供することにある。
【００１０】
さらに、本発明の別の目的は、マルチチップ方式の発光素子において、Ｒ、Ｇ、Ｂの３原色による白色発光では、赤と緑の発光スペクトルの間隔が広いため、発光スペクトル分布に不連続な領域があり、白色光としては不完全であるが、これを赤から青まで連続的なスペクトル分布を有する白色光を容易に得ることができるようにした発光素子を提供することにある。
【００１１】
また、本発明のさらに別の目的は、複数の発光素子を多数個連続的に並べて接続した際に、少ない配線数で個々の発光素子を簡単に制御できるようにした画像表示装置としても使用し得る発光装置を提供することを目的とするものである。
【課題を解決するための手段】
【００１２】
本発明の上記各目的は以下の構成により達成し得る。すなわち、請求項１に係る発光素子の発明は、複数の発光ダイオードと、これらの発光ダイオードを駆動する駆動用ＩＣを一体化した発光素子であって、前記駆動用ＩＣは、電流供給回路、複数ビットシフトレジスタ、複数ビットラッチ及び複数ビットドライバよりなることを特徴とする。この場合、複数の発光ダイオードとしては、任意の色の組み合わせのものが使用できるが、白色光が得られる組み合わせにする方が用途が広がるので好ましい。
【００１３】
また、請求項２に係る発明は、請求項１に記載の発光素子において、前記複数ビットドライバは、前記複数の発光ダイオード毎の電流値もしくは前記複数の発光ダイオード間の電流比率を一定に制御するものであることを特徴とする。
【００１４】
また、請求項３に係る発明は、請求項２に記載の発光素子において、前記複数ビットドライバは、前記複数の発光ダイオード毎の電流値もしくは前記複数の発光ダイオード間の電流比率を微調整する機能を備えていることを特徴とする。
【００１５】
また、請求項４に係る発明は、請求項３に記載の発光素子において、前記微調整は、前記駆動用ＩＣに内蔵した不揮発性メモリに記憶させた補正用のデータに基づいて行われることを特徴とする。
【００１６】
また、請求項５に係る発明は、請求項１に記載の発光素子において、前記駆動用ＩＣは、ストローブ信号制御回路を含み、前記ストローブ信号制御回路により前記複数の発光ダイオードの発光時間制御を行うことを特徴とする。
【００１７】
また、請求項６に係る発明は、請求項１に記載の発光素子において、前記複数の発光ダイオードは、それらの光の混色によって白色発光が可能な発光色を備えることを特徴とする。
【００１８】
また、請求項７に係る発明は、前記請求項６に記載の発光素子において、前記複数の発光ダイオードは、赤色、緑色、青色の３原色のそれぞれを発光するものを含むことを特徴とする。
【００１９】
また、請求項８に係る発明は、前記請求項７に記載の発光素子において、前記複数の発光ダイオードは、さらに赤色と緑色の間に中心波長を有する発色光を有するものであることを特徴とする。
【００２０】
また、請求項９に係る発明は、前記請求項７に記載の発光素子において、前記複数の発光ダイオードは、さらに橙色及び黄色の少なくとも１つを発光するものを含むことを特徴とする。
【００２１】
また、請求項１０に係る発明は、前記請求項１〜９のいずれかに記載の発光素子において、前記複数の発光ダイオードは前記駆動用ＩＣの表面に設けられていることを特徴とする。
【００２２】
また、請求項１１に係る発明は、前記請求項１〜１０のいずれかに記載の発光素子において、前記複数の発光ダイオードと前記駆動用ＩＣは、同じ樹脂によって覆われていることを特徴とする。
【００２３】
さらに、請求項１２に係る発光装置の発明は、前記請求項１〜１１のいずれかに記載の発光素子を複数個備え、それぞれの発光素子の駆動用ＩＣをカスケード接続したことを特徴とする。
【００２４】
さらに、請求項１３に係る発明は、前記発光装置が画像表示装置であることを特徴とする。
【発明の効果】
【００２５】
本発明は上記構成を備えることにより以下に述べるような優れた効果を奏する。すなわち、請求項１の発明によれば、複数の発光ダイオードを制御する駆動用ＩＣが複数の発光ダイオードとともに一体化されているので、この駆動用ＩＣによりそれぞれの発光ダイオードへ供給される電流値を制御できるため、発光素子外部で複雑な電流制御を行うことなく、簡便に色度精度が良く、均一な品質の発光素子を得ることができるようになる。
【００２６】
また、請求項２の発明によれば、複数の発光ダイオードのそれぞれに供給する電流を一定値に制御できるためにその選択された発光ダイオードの発光強度を一定値に保つことができ、また、複数の発光ダイオード間の電流比率を一定に制御できるため合成された光の色度を一定に保つことができるようになる。
【００２７】
また、請求項３の発明によれば、発光素子毎の同色の発光ダイオード間の電気−光学特性のバラツキを補正できるとともに、所定の合成された色の光を得るための各発光ダイオードに流れる電流値を制御できるため、発光素子毎の発光強度や発光色のバラツキを簡便に精度良く制御できる均一な品質の発光素子が得られる。
【００２８】
また、請求項４の発明によれば、発光素子毎の発光強度や発光色のバラツキの補正用のデータを駆動用ＩＣに内蔵した不揮発性メモリに記憶させて利用できるため、ユーザは発光素子毎のバラツキを考慮する必要がなくなるので、使用時の外部回路構成を簡略化できる発光素子が得られる。
【００２９】
また、請求項５の発明によれば、前記駆動用ＩＣはストローブ信号制御回路を有しているので、複数の発光ダイオードの発光するタイミング及び時間を制御することが容易になる。
【００３０】
また、白色光源は、液晶表示パネルのバックライト、照明光等、広い技術分野で要求されている光源であり、請求項６の発明によればこれらの広い技術分野への適用が可能な発光素子が得られる。
【００３１】
また、請求項７の発明によれば、容易に演色性の高い白色光を発光することができる発光素子が得られる。
【００３２】
また、請求項８、９の発明によれば、発光スペクトルの間隔が広い赤色発光ダイオードの発光スペクトルと緑色発光ダイオードの発光スペクトルとの間を、赤色と緑色の間に中心波長を有する発色光を有する発光ダイオード、または橙色発光ダイオード及び黄色発光ダイオードの少なくとも１つにより補うことができるため、赤から青まで実質的に連続的なスペクトル分布を有する白色光を得ることができる発光素子が得られる。
【００３３】
また、請求項１０の発明によれば、駆動用ＩＣ自体を複数の発光ダイオードを固定するための基板として用いることができるため、小型の発光素子が得られる。
【００３４】
また、請求項１１の発明によれば、複数の発光ダイオードと駆動用ＩＣが同じ樹脂により覆われて一体化されているため、組立作業性のよい発光素子が得られる。
【００３５】
さらに、請求項１２の発明によれば、複数の発光素子を多数個連続的に並べて接続した際に、少ない配線数で個々の発光素子を簡単に制御できる発光装置が得られる。
【００３６】
また、請求項１３の発明によれば、白色を含め、赤から青まで自然な発光色を有する画像表示装置が得られる。
【発明を実施するための最良の形態】
【００３７】
以下、図面を参照して本発明の実施例を説明する。ただし、以下に示す実施例は、本発明の技術思想を具体化するためのＲ、Ｇ、Ｂの３原色の発光ダイオードを備える発光素子及び発光装置の例を説明するものである。
【００３８】
しかしながら、本発明は、ＲＧＢの３原色以外に例えば橙色及び黄色の少なくとも一方を発光し得る発光ダイオードと組み合わせた発光素子の場合にも、あるいはその他の色を発光し得る複数個の発光ダイオードを備える発光素子の場合にも等しく適用し得るものである。特に一般的にはＲＧＢの発光ダイオードのスペクトル分布特性は、緑の発光ダイオードのピーク波長が、青と赤の発光ダイオードのピーク波長の中間点よりも青の発光ダイオード側に大きく偏った特性となり、緑と赤の発光ダイオードの間に波長の不連続な領域が存在しているが、赤と緑の発光ダイオードの中間にピーク波長を持つ橙色や黄色などの発光ダイオードを追加することによって、波長の不連続な領域を埋めることができ、演色性をより一層高めることができる。
【実施例１】
【００３９】
実施例１の発光素子１Ａを図１〜図４を用いて説明する。なお、図１は実施例１の発光素子１Ａのモールド樹脂を透視した状態の斜視図であり、図２は図１の発光素子１Ａの駆動用ＩＣをブロック図で表した等価回路図であり、図３は実施例１で使用した駆動用ＩＣの内部回路の一具体例を示す図であり、また、図４は実施例１の駆動用ＩＣの動作を説明するためのタイミングチャートである。
【００４０】
発光素子１Ａは、小型の発光素子とするために、チップ状態の複数の発光ダイオード２をこれらの発光ダイオードを駆動する回路基板を兼ねる駆動用ＩＣ３Ａ上に一体化して構成されている。各発光ダイオード２は、ウエハから分割された状態のベアチップで構成され、裏面にカソード電極を備えている。本実施例１では、白色発光を行うために、複数の発光ダイオード２として３原色である赤（Ｒ）、緑（Ｇ）、青（Ｂ）の発光色を持つ３個の発光ダイオード２Ｒ、２Ｇ、２Ｂを用いた。
【００４１】
駆動用ＩＣ３Ａは、各発光ダイオード２Ｒ、２Ｇ、２Ｂに対応した出力端子３Ｒ、３Ｇ、３Ｂを表面に備え、各発光ダイオード２Ｒ、２Ｇ、２Ｂ毎の電流値もしくは各発光ダイオード２Ｒ、２Ｇ、２Ｂ間の電流比率を一定に制御するための駆動回路を内蔵している。この駆動回路によって、各出力端子の出力電流が調整され、各発光ダイオード２Ｒ、２Ｇ、２Ｂの発光強度が各々予め設定した範囲内に維持される。
【００４２】
この駆動用ＩＣ３Ａは、３つの発光ダイオード２Ｒ、２Ｇ、２Ｂの発光色が混色されることによって、それぞれの駆動パルス幅が同一の場合に白色が得られるように、各出力の電流値あるいは電流の比率が予め設定されている。
【００４３】
発光素子１Ａは、少なくとも６個の外部端子５、６、７Ｃ、７ＳＩ、７Ｌ、７ＳＯを備えている。回路基板を兼ねる駆動用ＩＣ３Ａには、一方の電源端子として機能する外部端子５及び他方の電源端子として機能する外部端子６がそれぞれ電気的に絶縁された状態で駆動用ＩＣ３Ａの下部表面及び側面の一部分に設けられ、このうち外部端子６の表面上に各発光ダイオード２Ｒ、２Ｇ、２Ｂのカソード電極側が導電材料を用いて固定配置されている。この駆動用ＩＣ３Ａは、さらに表面にＣＬＯＣＫ信号入力端子７Ｃ、発光信号入力端子７ＳＩ、ＬＯＡＤ信号入力端子７Ｌ、発光信号出力端子７ＳＯ及び複数の発光ダイオード２Ｒ、２Ｇ、２Ｂ用の出力端子３Ｒ、３Ｇ、３Ｂ等の端子が配置されており、このうち出力端子３Ｒ、３Ｇ、３Ｂとそれぞれの発光ダイオード２Ｒ、２Ｇ、２Ｂとの間は金線などのワイヤにより電気的に接続されている。
【００４４】
本実施例１で使用した複数の発光ダイオード２Ｒ、２Ｇ、２Ｂは、裏面にカソード電極を備えているものを使用したので、導電材料により外部端子６に固定されているが、複数の発光ダイオード２Ｒ、２Ｇ、２Ｂが表面にアノードとカソードの両方の電極を備える場合は、これらの両方の電極にワイヤによる配線を施す必要がある。
【００４５】
本実施例１の発光素子１Ａは、これらの複数の発光ダイオード２Ｒ、２Ｇ、２Ｂを駆動用ＩＣの表面に固定し、配線を施した後に、光透過性のモールド樹脂９によってこれらの表面を覆うことにより作製される。
【００４６】
この発光素子１Ａは、図２に示すように、駆動用ＩＣ３Ａとそれに接続した各発光ダイオード２Ｒ、２Ｇ、２Ｂからなる発光回路を２つの外部端子５、６間に接続するとともに、外部端子７Ｃ、７ＳＩ、７ＬにそれぞれＣＬＯＣＫ信号、発光入力信号ＳＩ、ＬＯＡＤ信号がそれぞれ入力され、外部端子７ＳＯから発光入力信号ＳＩと同じ発光出力信号ＳＯが出力される回路構成をとる。
【００４７】
次に、本実施例１で使用した駆動用ＩＣ３Ａの一具体例を、図３及び図４を用いて説明する。この駆動用ＩＣ３Ａは、電流供給回路１１、３ビットシフトレジスタ１２、３ビットラッチ１３、信号処理回路１４及び３ビットドライバ１５を備えている。３ビットシフトレジスタ１２は、ＣＬＯＣＫ信号の立ち下がりに同期して発光入力信号ＳＩからそれぞれＲ、Ｇ、Ｂに対応する３ビット分の信号を分離して保持し、この３ビットシフトレジスタ１２に保持されたＲ、Ｇ、Ｂに対応するそれぞれの信号は、ＬＯＡＤ信号に同期して同時に３ビットラッチ１３に取り込まれて信号処理回路１４を経て３ビットドライバ１５に送られ、この３ビットドライバ１５により電流供給回路１１から所定の駆動電流を供給することによりそれぞれの発光ダイオード２Ｒ、２Ｇ、２Ｂを発光させるようになっている。
【００４８】
信号処理回路１４は、それぞれ２つの反転回路の直列回路からなる波形成形回路１４Ｒ、１４Ｇ、１４Ｂからなり、３ビットラッチ１３から送られてきたパルスを成形する機能を有するものであるが、場合によっては省略することも可能である。
【００４９】
３ビットドライバ１５は、図３の符号１５Ｒ、１５Ｇ、１５Ｂに示すように、ＣＭＯＳ回路及びＦＥＴにより形成されたドライバであり、ここでは電源ＶＤＤ２から供給される電流を各発光ダイオード２Ｒ、２Ｇ、２Ｂに供給するようになっている。なお、電源ＶＤＤ２は電源端子である一方の外部端子５に直接接続ないしは所定の定電圧回路（図示せず）を経て接続されていてもよい。３ビットドライバ１５から各発光ダイオード２Ｒ、２Ｇ、２Ｂのそれぞれに流れる電流は、それぞれのドライバ１５Ｒ、１５Ｇ、１５Ｂの回路定数を変えることによりあるいは前記定電圧回路の電圧を変えることにより、各発光ダイオード２Ｒ、２Ｇ、２Ｂの駆動パルス幅が同一の場合に白色が得られるように調整されている。
【００５０】
この駆動用ＩＣ３Ａの動作は図４のタイミングチャートに示したとおりである。すなわち、本実施例では、複数の発光ダイオード２として、それぞれＲ、Ｇ、Ｂの各色を発光する３種の発光ダイオード２Ｒ、２Ｇ、２Ｂを用いているので、発光入力信号ＳＩはＣＬＯＣＫ信号の連続する３パルス分で１周期分となるが、シフトレジスタ１２がＲ、Ｇ、Ｂに対応する信号を分離して保持した後に、ＬＯＡＤ信号により３ビットラッチ１３がシフトレジスタ１２が保持している信号を読み込み保持するために１パルス分必要である。
【００５１】
駆動用ＩＣ３Ａに電源電圧が供給されているとき、３ビットシフトレジスタ１２は、外部端子７Ｃに加えられているＣＬＯＣＫ信号の立ち下がりに同期して、発光入力信号ＳＩからそれぞれＲ、Ｇ、Ｂに対応する３ビット分の信号を分離して保持する。３ビットシフトレジスタ１２が保持した信号はＬＯＡＤ信号に同期して３ビットラッチ１３により読み込まれ、３ビットラッチ１３はこの読み込んだ信号を次の周期の間保持する。
【００５２】
例えば、図４においては、第１周期の発光入力信号ＳＩは順にＢ、Ｇ、Ｒに対応する信号がＨレベルとなっており、この発光入力信号ＳＩは、第１周期の間に３ビットシフトレジスタ１２によりＲ、Ｇ、Ｂ毎に分離して保持され、ＬＯＡＤ信号に同期して３ビットラッチ１３に読み込まれ、３ビットラッチ１３が読み込んだシフトレジスタ１２が保持していた信号は第２周期の間そのまま保持される。したがって、第２周期の間、３ビットラッチ１３のＲ、Ｇ、Ｂのそれぞれに対応するラッチ出力は全てＨレベルとなる。
【００５３】
この３ビットラッチ１３の出力に基づき信号処理回路１４を経て３ビットドライバ１５により各発光ダイオード２Ｒ、２Ｇ、２Ｂが駆動されるため、第２周期の間には、各発光ダイオード２Ｒ、２Ｇ、２Ｂは全て発光するので、結果として白色光（Ｗ）が得られる。
【００５４】
同様にして、例えば第２周期及び第３周期の発光入力信号ＳＩはそれぞれＲ及びＧに対応する信号のみがＨレベルとなっているため、第３周期では赤の発光ダイオード２Ｒのみが発光して赤色光が得られ、第４周期では緑の発光ダイオード２Ｇのみが発光して緑色光が得られる。
【００５５】
このようにして、本実施例１の発光素子１Ａでは、発光入力信号ＳＩの１周期分に含まれるＲ、Ｇ、Ｂの各成分の組合せに基いて、次の周期の間にわたりその組み合わせられた色を発光させることができるため、Ｗ、Ｒ、Ｇ、Ｂ、ＲＧ、ＲＢ、ＧＢの７色、全て無発光の場合（黒）を含めて計８色の発光が可能となる。
【実施例２】
【００５６】
実施例１の発光素子１Ａでは、１周期の間の各発光ダイオード２Ｒ、２Ｇ、２Ｂの発光時間は、ＣＬＯＣＫ信号とＬＯＡＤ信号によって定まり、変えることができなかったが、実施例２ではストローブ信号ＳＴＢ制御回路を使用することにより１周期間の各発光ダイオード２Ｒ、２Ｇ、２Ｂの発光時間を変えることができるようにすることで、各発光ダイオード２Ｒ、２Ｇ、２Ｂのそれぞれの発光色の階調を変えることができるようにし、見かけ上多色の発光を可能とした発光素子１Ｂを作製した。
【００５７】
この実施例２の発光素子１Ｂを図５及び図６を用いて説明する。ここで、図５は実施例２の発光素子１Ｂの駆動用ＩＣ３Ｂの内部回路の一具体例であり、図６は実施例２の駆動用ＩＣ３Ｂの動作を説明するためのタイミングチャートである。
【００５８】
なお、実施例２の発光素子１Ｂの斜視図及びブロック図で表した等価回路図は、ストローブ端子７ＳＴを有する以外は実施例１の発光素子に関する図１及び図２の場合と同様であるので、その記載は省略し、また、図５及び図６においては実施例１の発光素子１と同一の構成部分には同一の参照符号を付与してその詳細な説明は省略することとする。
【００５９】
この実施例２の発光素子１Ｂは、図５の記載から明らかなように、実施例１の発光素子１Ａとは３ビットラッチ１３の出力と信号処理回路１４の入力との間に３個のアンド回路１６Ｒ、１６Ｇ、１６ＢのからなるＳＴＢ制御回路１６が挿入されている点で構成が相違しているが、他の部分の構成は実施例１の発光素子１Ａと実質的に同一である。
【００６０】
このＳＴＢ制御回路１６を含めた実施例２の発光素子１Ｂの駆動用ＩＣ３Ｂの動作は図６のタイミングチャートに示したとおりである。すなわち、駆動用ＩＣ３Ｂに電源電圧が供給されているとき、３ビットシフトレジスタ１２は、外部端子７Ｃに加えられているＣＬＯＣＫ信号の立ち下がりに同期して、発光入力信号ＳＩからそれぞれＲ、Ｇ、Ｂに対応する３ビット分の信号を分離して保持し、３ビットシフトレジスタ１２が保持した信号はＬＯＡＤ信号に同期して３ビットラッチ１３により読み込まれ、３ビットラッチ１３はこの読み込んだ信号を次の周期の間保持する点までは実施例１の駆動用ＩＣ３Ａの場合と同様である。
【００６１】
しかしながら、実施例１の駆動用ＩＣ３Ａの場合は３ビットラッチ１３が保持している信号を１周期の間そのまま信号処理回路１４を経て３ビットドライバ１５へ供給するようになっているが、本実施例２の駆動用ＩＣ３ＢではＳＴＢ制御回路１６により３ビットラッチ１３が保持している信号と外部端子７ＳＴより入力されたストローブ信号ＳＴＢとのアンド出力が信号処理回路１４を経て３ビットドライバ１５へ供給されるようになっている。そのため、本実施例２の駆動用ＩＣ３Ｂでは１周期の間に信号処理回路１４を経て３ビットドライバ１５へ供給される信号はストローブ信号ＳＴＢによって制御することができる。
【００６２】
例えば、図６においては、第１周期の発光入力信号ＳＩは順にＢ、Ｇ、Ｒに対応する信号がＨレベルとなっており、この発光入力信号ＳＩは、第１周期の間に３ビットシフトレジスタ１２を介して保持され、ＬＯＡＤ信号に同期して３ビットラッチ１３に読み込まれ、３ビットラッチ１３が読み込んだシフトレジスタ１２が保持した信号は第２周期の間そのまま保持され、３ビットラッチ１３のＲ、Ｇ、Ｂのそれぞれに対応するラッチ出力は全てＨレベルとなる。
【００６３】
しかしながら、この３ビットラッチ１３の出力は、ＳＴＢ制御回路１６においてストローブ信号ＳＴＢとのアンド出力がとられて信号処理回路１４を経て３ビットドライバ１５により各発光ダイオード２Ｒ、２Ｇ、２Ｂが駆動されるため、各発光ダイオード２Ｒ、２Ｇ、２Ｂは、第２周期の間にストローブ信号ＳＴＢに同期して発光することとなり、この場合においてはストローブ信号ＳＴＢに対応して２回に分けて全て発光するので、結果として第２周期の間に２回点滅する白色光（Ｗ）が得られる。
【００６４】
同様にして、例えば第２周期及び第３周期の発光入力信号Ｓ１はそれぞれＲ及びＧに対応する信号のみがＨレベルとなっているため、第３周期では第３周期のストローブ信号ＳＴＢに対応して赤の発光ダイオード２Ｒのみが１周期の期間より短い時間だけ発光する赤色光が得られ、第４周期では第４周期のストローブ信号ＳＴＢに対応して緑の発光ダイオード２Ｇのみが１周期の期間より短い時間だけ発光する緑色光が得られる。
【００６５】
この実施例２の発光素子１Ｂでは、それぞれの周期内の各発光ダイオード２Ｒ、２Ｇ、２Ｂの発光時間を変えることができるようになるので、各発光ダイオード２Ｒ、２Ｇ、２Ｂのそれぞれの発光色の階調を変えることができ、見かけ上多色の発色光が得られるようになる。
【実施例３】
【００６６】
実施例１の発光素子１Ａ及び実施例２の発光素子１Ｂにおいては、３ビットドライバ１５から各発光ダイオード２Ｒ、２Ｇ、２Ｂのそれぞれに流れる電流を、それぞれの発光ダイオード２Ｒ、２Ｇ、２Ｂに流れる電流値を発光強度−順電流特性に合わせるとともに個々の発光ダイオードの電気−光学特性のバラツキを補正するため、それぞれのドライバ１５Ｒ、１５Ｇ、１５Ｂの回路定数を変えることによりあるいは前記定電圧回路の電圧を変えることにより各発光ダイオード２Ｒ、２Ｇ、２Ｂの駆動パルス幅が同一の場合に白色が得られるように調整するようにしたが、このような調整方法は、発光素子１Ａないし１Ｂの組立中に行うことができる方法であって、発光素子１Ａないし１Ｂの組立終了後には調整が困難である。
【００６７】
そこで、実施例３として、外部から各発光ダイオード２Ｒ、２Ｇ、２Ｂに流れる電流値を調整できるようにして、発光素子の組立中又は組立後にそれぞれの発光ダイオード２Ｒ、２Ｇ、２Ｂの電気−光学特性のバラツキを補正できるようにした発光素子１Ｃを作製した。この実施例３の発光素子１Ｃを図７及び図８を用いて説明する。ここで、図７は実施例３の発光素子１Ｃの駆動用ＩＣ３Ｃをブロック図で表した等価回路図であり、図８は実施例３で使用した駆動用ＩＣ３Ｃの内部回路の一具体例を示す図である。
【００６８】
なお、実施例３の発光素子１Ｃの斜視図は、必要に応じてリセット端子７ＳＥを有する以外は実施例１の発光素子１Ａに関する図１の場合と同様であるので、その記載は省略し、また、図７及び図８においては、実施例１の発光素子１Ａと同一の構成部分には同一の参照符号を付与して一部の説明は省略することとする。
【００６９】
この実施例３の発光素子１Ｃは、駆動用ＩＣ３Ｃとそれに接続した各発光ダイオード２Ｒ、２Ｇ、２Ｂからなる発光回路を２つの外部端子５、６間に接続するとともに、外部端子７Ｃ、７ＳＩ、７ＬにそれぞれＣＬＯＣＫ信号、発光入力信号ＳＩ、ＬＯＡＤ信号がそれぞれ入力され、外部端子７ＳＯから発光入力信号ＳＩと同じ発光出力信号ＳＯが出力される回路構成をとっている点では実施例１の発光素子１Ａと同じであるが、内部構成が実施例１の駆動用ＩＣ３Ａとは相違している。
【００７０】
すなわち、この実施例３の駆動用ＩＣ３Ｃは、図７及び図８に示すように、電流供給回路１１、３ビットシフトレジスタ１２、補正回路１７、各種信号制御回路１８及びドライバ１９を備えており、そのうち補正回路１７は、３ビットシフトレジスタ１２の出力を保持して各種信号制御回路１８及びドライバ１９へ出力するための３ビットラッチ１７Ｌと、補正用データを保持する補正メモリ１７Ｍとからなる。
【００７１】
補正メモリ１７Ｍは、３×３ビットの不揮発性メモリによって、各３ビット分、すなわち８段階の補正レベルを記憶するようになっており、選択された補正レベルに対応する出力を各種信号制御回路１８を経てドライバ１９に送出し、各発光ダイオード２Ｒ、２Ｇ、２Ｂに対して所定の補正された電流を供給するようになっている。
【００７２】
各種信号制御回路１８は、各発光ダイオード２Ｒ、２Ｇ、２Ｂのそれぞれに対応する３つの信号制御回路ブロック１８Ｒ、１８Ｇ、１８Ｂを備えており、各信号制御回路ブロック１８Ｒ、１８Ｇ、１８Ｂは、例えば緑の発光ダイオード２Ｇ駆動用のものを例に取ると、２つの反転回路を直列接続した波形成形回路１８Ｇ１と、補正メモリ１７Ｍからの出力と３ビットラッチ１７Ｌの出力とのアンド出力をとる３つのアンド回路１８Ｇ２〜１８Ｇ４からなり、それぞれの信号制御回路ブロック１８Ｇ１〜１８Ｇ４の出力は３×４ビットドライバ１９Ｇの対応するドライバ１９Ｇ１〜１９Ｇ４に入力され、それぞれのドライバ１９Ｇ１〜１９Ｇ４の出力は並列に接続されて対応する緑の発光ダイオード２Ｇに供給されるようになっている。
【００７３】
なお、赤の発光ダイオード２Ｒ及び青の発光ダイオード２Ｂ駆動用の各信号制御回路ブロック１８Ｒ、１８Ｂ及び３×４ビットドライバ１９Ｒ、１９Ｂも緑の発光ダイオード２Ｇ駆動用の各種信号制御回路ブロック１８Ｇ及び３×４ビットドライバ１９Ｇと同様の構成を備えているが、図示は省略した。
【００７４】
この実施例３の発光素子１Ｃの発光色の調整は次のとおりの方法により行われる。まず、複数の発光ダイオード２Ｒ、２Ｇ、２Ｂのそれぞれの発光強度−順電流特性から白色光を得るための平均的な電流値ＴＹＰを求め、この値を中心とし、各発光ダイオードの製品毎のバラツキを考慮して所定の電流間隔、例えば、５％分ごとに、＋２０％、＋１５％、＋１０％、＋５％、ＴＹＰ、−５％、−１０％、−１５％の８レベルの電流値を定める。
【００７５】
そして、３×４ビットドライバ１９Ｇは、３ビットラッチ１７Ｌの出力によってのみ駆動されるドライバ１９Ｇ１の出力電流として前記−１５％に対応する電流値を供給するようにし、他の３つのドライバ１９Ｇ２〜１９Ｇ４はそれぞれ前記の所定の電流間隔に対応する＋５％分、＋１０％分及び＋２０％分の電流を供給するようにする。
【００７６】
そうすると、発光ダイオード２Ｇには、ある周期に３ビットシフトレジスタ１２の緑に対応する出力端子に出力が現われると、次の周期に３ビットラッチ１７Ｌに現われた出力に対応して常にドライバ１９Ｇ１から前記の−１５％に対応する電流が供給されるとともに、補正メモリ１７Ｍに記憶されたデータに基づく出力に応じて他の３つのドライバ１９Ｇ２〜１９Ｇ４からの出力電流が同時に供給されるため、発光ダイオード２Ｇに供給される電流値は−１５％を最低値として、−１０％、−５％、ＴＹＰ、＋５％、＋１０％、＋１５％、＋２０％の８レベルに変えることができる。
【００７７】
このような構成を採用することにより、発光素子１Ｃの組立時ないしは組立後に、発光ダイオード２Ｇ対して所定の補正された電流を供給できるように補正メモリ１７Ｍに対して所定の補正データを記憶させれば、所定の補正された電流値を各発光ダイオード２Ｇに対して供給することができるようになる。
【００７８】
なお、ここでは緑の発光ダイオード２Ｒを発光させる場合を例に取り説明したが、赤の発光ダイオード２Ｒ及び青の発光ダイオード２Ｂを発光させる場合についても同様であり、このようにして３つの発光ダイオード２Ｒ、２Ｇ、２Ｂの全てについて補正した電流値を供給することによって、所望の色度の発光素子が得られる。なお、本実施例３の発光素子１Ｃの駆動回路３Ｃの動作は、図４に示した実施例１の発光素子１Ａの駆動回路３Ａのタイミングチャートと同様であるので、その詳細な説明は省略する。
【実施例４】
【００７９】
実施例３の発光素子１Ｃは、発光素子１Ｃの組立時ないしは組立後に各発光ダイオード２Ｒ、２Ｇ、２Ｂに対して所定の補正された電流を供給できるようにしたものを示したが、この発光素子１Ｃでは１周期の間の各発光ダイオード２Ｒ、２Ｇ、２Ｂの発光時間は、ＣＬＯＣＫ信号とＬＯＡＤ信号によって定まり、変えることができなかった。そこで、実施例４ではストローブ信号ＳＴＢ制御回路を使用することにより、１周期間の各発光ダイオード２Ｒ、２Ｇ、２Ｂの発光のタイミングや発光時間を変えることができるようにして、各発光ダイオード２Ｒ、２Ｇ、２Ｂのそれぞれの発光色の階調を変えることができるようにし、見かけ上多色の発光を可能とした発光素子１Ｄを作製した。
【００８０】
この実施例４の発光素子１Ｄを図９を用いて説明する。ここで、図９は実施例４の発光素子１Ｄの駆動用ＩＣ３Ｂの内部回路の一具体例である。なお、実施例４の発光素子１Ｄの斜視図、ブロック図及び駆動用ＩＣ３Ｄをブロック図で表した等価回路図は、ストローブ端子７ＳＴを有する以外は実施例３の発光素子１Ｃの場合と同様であるので、その記載は省略することとし、また、図９においては実施例３の発光素子１Ｃと同一の構成部分には同一の参照符号を付与することとしてその詳細な説明も省略する。
【００８１】
この実施例４の発光素子１Ｄは、図９の記載から明らかなように、実施例３の発光素子１Ｃとは補正回路１７の３ビットラッチ１７Ｌの出力と信号処理回路１８の入力との間に３個のアンド回路１６Ｒ、１６Ｇ、１６ＢからなるＳＴＢ制御回路１６が挿入されている点で構成が相違しているが、他の部分の構成は実施例３の発光素子１Ｃと実質的に同一である。
【００８２】
この実施例４の発光素子１Ｄの駆動用ＩＣ３Ｄにおいては、補正回路１７の動作原理は実施例３の駆動用ＩＣ３Ｃのものと同一であり、また、ＳＴＢ制御回路１６の動作原理は実施例２の駆動用ＩＣ３Ｂのものと同一であり、更に、その動作も実施例２の発光素子１Ｂの駆動回路３Ｂのタイミングチャートである図６に示したとおりであるので、その詳細な説明は省略する。
【００８３】
このようにして、実施例４の発光素子１Ｄは、発光素子１Ｄの組立時ないしは組立後に各発光ダイオード２Ｒ、２Ｇ、２Ｂに対して所定の補正された電流を供給できるようになるとともに、ストローブ信号ＳＴＢを使用することにより１周期間の各発光ダイオード２Ｒ、２Ｇ、２Ｂの発光時間を変えることができるようになるので、各発光ダイオード２Ｒ、２Ｇ、２Ｂのそれぞれの発光色の階調を変えることができるようにし、見かけ上多色の発光を可能とした発光素子１Ｄが得られる。
【実施例５】
【００８４】
実施例１の発光素子１Ａは、小型の発光素子とするために、チップ状態の複数の発光ダイオード２Ｒ、２Ｇ、２Ｂを回路基板を兼ねる駆動用ＩＣ３Ａ上に一体化した例を示したが、実施例５ではリードフレームを有する基板上に駆動用ＩＣ及び複数の発光ダイオード２Ｒ、２Ｇ、２Ｂを載置した発光素子１Ｅを作製した。
【００８５】
この実施例５の発光素子１Ｅを図１０を用いて説明する。なお、図１０は実施例５の発光素子１Ｅの光透過性のモールド樹脂を透過して表した平面図であり、実施例１の発光素子１Ａと同一の構成部分には同一の参照符号を付与して一部の説明は省略することとする。
【００８６】
この実施例５の発光素子１Ｅが実施例１の発光素子１Ａと大きく構成が相違している点は、基板４として５端子のリードフレームを有するモールド型のものを用い、このうち他方の外部端子６に接続する幅広のリードフレーム８上に各発光ダイオード２Ｒ、２Ｇ、２Ｂのカソード電極側を導電材料を用いて固定配置するとともに、駆動用ＩＣ３をも載置して放熱効率を向上させるようにした点である。
【００８７】
また、本実施例５で使用した駆動用ＩＣ３の表面には、各発光ダイオード用の出力端子３Ｒ、３Ｇ、３Ｂ、ＣＬＯＣＫ信号入力端子３Ｃ、発光制御信号入力端子３ＳＩ、ＬＯＡＤ信号入力端子３Ｌ、電源電圧入力端子３Ｖ、共通端子３Ｅ等の端子が配置されており、このうち各発光ダイオード用の出力端子３Ｒ、３Ｇ、３Ｂとそれぞれの発光ダイオード２Ｒ、２Ｇ、２Ｂとの間、ＣＬＯＣＫ信号入力端子と外部端子７Ｃとの間、発光制御信号入力端子３ＳＩと外部端子７ＳＩとの間、ＬＯＡＤ信号入力端子３Ｌと外部端子７Ｌとの間、発光信号出力端子３ＳＯと外部端子７ＳＯとの間、電源電圧入力端子３Ｖと一方の外部端子５との間、及び、共通端子３Ｅと他方の外部端子６との間は、それぞれ金線などにより電気的に接続されている。なお、実施例５の発光素子１Ｅの駆動用ＩＣ３の内部構成としては、実施例１〜実施例４の駆動用ＩＣ３Ａ〜３Ｄのいずれをも使用することができ、その場合、必要に応じてストローブ端子７ＳＴないしリセット端子７ＳＥを設ければよい。
【００８８】
このような構成の実施例５の発光素子１Ｅによれば、他方の外部端子６に接続する幅広のリードフレーム８上に各発光ダイオード２Ｒ、２Ｇ、２Ｂ及び駆動用ＩＣ３が設けられているため、各発光ダイオード２Ｒ、２Ｇ、２Ｂ及び駆動用ＩＣ３の発熱はリードフレーム８を経て効率よく放熱させることができるので、各発光ダイオード２Ｒ、２Ｇ、２Ｂに大電流を流すことができ、明るい発光素子１Ｅが得られる。
【実施例６】
【００８９】
実施例１〜５では、それぞれ単一の発光素子１Ａ〜１Ｅを示したが、これらの発光素子１Ａ〜１Ｅは発光信号出力端子７ＳＯから発光入力信号ＳＩと同じ波形の出力信号ＳＯが得られているので、この発光信号出力端子７ＳＯからの出力を別の発光素子の発光信号入力端子７ＳＩに接続すると、複数個の発光素子を同時に発光制御することができるようになる。
【００９０】
実施例５では、このような複数（Ｎ個）の発光素子をカスケード接続した発光装置を作成した。その発光装置の具体的な回路図を図１１に示す。なお、図１１においては理解を容易にするために各発光素子の入出力端子を信号名で表してある。
【００９１】
実施例５の発光装置においては、各発光素子の正負の電源端子、ＣＬＯＣＫ信号端子、ＬＯＡＤ信号端子及びストローブ信号ＳＴＢ入力端子は全て並列に接続されており、ただ、各発光素子の発光信号出力端子ＳＯは、最終段のものを除き、隣り合う次の発光素子の発光信号入力端子ＳＩに接続されている。
【００９２】
そして、ＬＯＡＤ信号のデータ間に入力されるデータ数を３×Ｎとすれば、Ｎ個の発光素子を一つの入力信号で制御し得る発光装置が得られる。この場合、各発光素子としては実施例１〜５に示した発光素子１Ａ〜１Ｅのいずれをも、ストローブ端子の有無にかかわらず、使用することができる。
【００９３】
また、このような複数個の発光素子をカスケード接続した発光装置を、更に複数個平面状に配置すると、画像表示装置として使用し得る発光装置が得られる。
【００９４】
以上、実施例１〜５としてはＲ、Ｇ、Ｂの３原色の発光ダイオードを使用した発光素子及び発光装置について述べたが、本発明はこれに限定されるものではなく、Ｒ、Ｇ、Ｂの３原色以外に例えばＯ及びＹの少なくとも一方を発光し得る発光ダイオードと組み合わせた発光素子及び発光装置の場合にも、あるいはその他の色を発光し得る複数個の発光ダイオードを備える発光素子及び発光装置にも等しく適用し得るものである。
【００９５】
この場合、Ｒ、Ｇ、Ｂの３原色による白色発光では、ＲとＧの発光スペクトルの間隔が広いため、発光スペクトル分布に不連続な領域があり、白色光としては不完全であるが、特にＯ或いはＹの発光ダイオードを組み合わせて使用すると赤から青まで連続的なスペクトル分布を有する白色光を容易に得ることができるようなる。さらに、この発光素子を多数個連続的に並べて接続した際に、少ない配線数で個々の発光素子を簡単に制御でき、演色性のよい画像表示装置としても使用し得る発光装置が得られる。
【図面の簡単な説明】
【００９６】
【図１】実施例１の発光素子のモールド樹脂を透視した状態の斜視図である。
【図２】実施例１の発光素子の駆動用ＩＣをブロック図で表した等価回路図である。
【図３】実施例１で使用した駆動用ＩＣの内部回路の一具体例を示す図である。
【図４】実施例１の駆動用ＩＣの動作を説明するためのタイミングチャートである。
【図５】実施例２で使用した駆動用ＩＣの内部回路の一具体例を示す図である。
【図６】実施例２の駆動用ＩＣの動作を説明するためのタイミングチャートである。
【図７】実施例３の発光素子の駆動用ＩＣをブロック図で表した等価回路図である。
【図８】実施例３で使用した駆動用ＩＣの内部回路の一具体例を示す図である。
【図９】実施例４で使用した駆動用ＩＣの内部回路の一具体例を示す図である。
【図１０】実施例５の発光素子のモールド樹脂を透視した状態の平面図である。
【図１１】複数個の発光素子をカスケード接続した実施例６の発光装置の回路図である。
【図１２】典型的な各種発光ダイオードの発光強度−順電流特性図である。
【図１３】各種発光ダイオードのスペクトル分布特性図である。
【符号の説明】
【００９７】
１Ａ〜１Ｅ    発光素子
２、２Ｒ、２Ｇ、２Ｂ    発光ダイオード
３Ａ〜３Ｅ    駆動用ＩＣ
４    回路基板
５、６、７Ｃ、７ＳＩ、７Ｌ、７ＳＯ、７ＳＴ、７ＳＥ    外部端子
８    リードフレーム
９    光透過性のモールド樹脂
１１    電流供給回路
１２    ３ビットシフトレジスタ
１３    ３ビットラッチ
１４、１４Ｒ、１４Ｇ、１４Ｂ    信号処理回路
１５、１５Ｒ、１５Ｇ、１５Ｂ    ドライバ
１７    補正回路
１７Ｌ  ３ビットラッチ
１７Ｍ  補正メモリ
１８    各種信号制御回路
１９、１９Ｒ、１９Ｇ、１９Ｂ    ドライバ
【図１】
2006054337.tif 000003
【図２】
2006054337.tif 000004
【図３】
2006054337.tif 000005
【図４】
2006054337.tif 000006
【図５】
2006054337.tif 000007
【図６】
2006054337.tif 000008
【図７】
2006054337.tif 000009
【図８】
2006054337.tif 000010
【図９】
2006054337.tif 000011
【図１０】
2006054337.tif 000012
【図１１】
2006054337.tif 000013
【図１２】
2006054337.tif 000014
【図１３】
2006054337.tif 000015